(57)【要約】【課題】防犯ブザーや好みのキーホルダー、マスコットを容易に掛止可能であるとともに、コストもかからず、更に、防犯ブザー等を掛止していない場合に邪魔になることもない掛止具を備えた背負い鞄の肩ベルトを提供すること。【解決手段】表地（２）と裏地（３）とを貼りあわせ、前記表地（２）と裏地（３）間の任意の箇所にスポンジ等のクッション材（４）を挿装し、上端に連結具（７）を装着してなる背負い鞄の肩ベルト（１）において、前記表地（２）と裏地（３）間における任意の箇所に、肩ベルト（１）の長手方向に略直交する方向に向けて中空のパイプ材（５）を挿装し、該パイプ材（５）を貫通させつつ、無端状あるいは両端を着脱自在とした、チェーン、紐等の掛止部材（６）を前記肩ベルト（１）に装着しており、これにより、掛止部材（６）に防犯ブザー、キーホルダー等を掛止可能としている。【選択図】図１
0003105218.tif 000002
【実用新案登録請求の範囲】
【請求項１】
表地（２）と裏地（３）とを貼りあわせ、前記表地（２）と裏地（３）間の任意の箇所にスポンジ等のクッション材（４）を挿装し、上端に連結具（７）を装着してなる背負い鞄の肩ベルト（１）において、
前記表地（２）と裏地（３）間における任意の箇所に中空のパイプ材（５）を挿装し、
該パイプ材（５）を貫通させつつ、無端状あるいは両端を着脱自在とした掛止部材（６）を前記肩ベルト（１）に装着したことを特徴とする背負い鞄の肩ベルト。
【請求項２】
前記掛止部材（６）をチェーンにより構成したことを特徴とする請求項１に記載の背負い鞄の肩ベルト。
【請求項３】
前記掛止部材（６）を紐により構成したことを特徴とする請求項１に記載の背負い鞄の肩ベルト。
【考案の詳細な説明】
【技術分野】
【０００１】
本考案は、背負い鞄の肩ベルトに係り、より詳しくは、防犯ブザー、キーホルダー等を容易に掛止可能とした背負い鞄の肩ベルトに関する。
【背景技術】
【０００２】
近年の防犯意識の高まりにより、防犯ブザー等を携行することが奨励されており、特に小学生等においては、防犯ブザーを支給するとともに、通学途中での防犯ブザーの携行が義務付けられることが多くなっている。
【０００３】
しかしながら、防犯ブザーを首から吊るした場合には、取り外しが面倒であり、また場合によっては紐が首に巻き付いてしまい危険が伴う。
【０００４】
その一方、バッグ等に収納したのでは、緊急事態に対応できなくなるおそれも十分に考えられる。
【０００５】
そのため、従来において、このような防犯ブザーを取り付けるための手段を備えたランドセル等が提案されており、これらは、防犯ブザー等を収容可能としたポシェットや個袋等の収容体をランドセルの本体やベルトに装着する方法を採用している。
【特許文献１】特開平１１−７５９２４号公報
【特許文献２】実開平１−１２６１１０号公報
【特許文献３】登録第３０４８８０１号実用新案公報
【考案の開示】
【考案が解決しようとする課題】
【０００６】
しかしながら、収容体を用いた場合には、収容体への収容や収容体からの取り出しが面倒であり、また、収容体を製造するためのコストも必要となってしまい、更に、収容体に収容可能な形状寸法とした防犯ブザーのみしか収容できないという問題点がある。
【０００７】
この点、例えば肩ベルトに吊り下げ具を装着して、この吊り下げ具に防犯ブザー等を吊り下げる方法も考えられるが、かかる場合には、吊り下げ具自体が邪魔になってしまう場合がある。例えば、学校内等において、椅子の背もたれにランドセルを吊り下げておくことがあり、かかる場合には、椅子に座った場合には肩ベルトが背中に当接することになるが、ベルトに吊り下げ具を装着した場合には、この吊り下げ具が背中に当たってしまうため、痛くなるとともに、痕が残る心配も考えられる。
【０００８】
また、一般的に、キーホルダーや小さいマスコット等をランドセル等に吊り下げることが行われており、例えばランドセル等のなす環等に吊り下げることが行われるが、なす環は本来、給食袋や上履き入れ等を吊り下げるべきものであるために、このなす環にキーホルダーやマスコットを吊り下げた場合には、本来吊り下げるべき給食袋等を吊り下げる空間が少なくなってしまうという問題点も考えられる。
【０００９】
そこで、本考案は、防犯ブザーや好みのキーホルダー、マスコットを容易に掛止可能であるとともに、コストもかからず、更に、防犯ブザー等を掛止していない場合に邪魔になることもない掛止具を備えた背負い鞄の肩ベルトを提供することを課題としている。
【課題を解決するための手段】
【００１０】
本考案の背負い鞄の肩ベルトは、表地と裏地とを貼りあわせ、前記表地と裏地間の任意の箇所にスポンジ等のクッション材を挿装し、上端に連結具を装着してなる背負い鞄の肩ベルトにおいて、前記表地と裏地間における任意の箇所に中空のパイプ材を挿装し、該パイプ材を貫通しつつ、無端状あるいは両端を着脱自在とした掛止部材を、前記肩ベルトに装着したことを特徴としている。
【考案の効果】
【００１１】
本考案の背負い鞄の肩ベルトでは、肩ベルト内に中空のパイプ材を挿装し、このパイプ材を貫通しつつ、無端状あるいは両端を着脱自在とした掛止部材を前記肩ベルトに装着しており、掛止部材に防犯ブザー、キーホルダー、マスコット等を吊り下げることを可能としている。
【００１２】
従って、防犯ブザー、キーホルダー、マスコットを容易に掛止することができるとともに、コスモも抑えることができ、更に、掛止部材としてチェーン、紐等を用いることにより、掛止部材が邪魔になることもない。
【考案を実施するための最良の形態】
【００１３】
本考案の背負い鞄の肩ベルトでは、表地と裏地とを貼りあわせるとともに、表地と裏地の間における任意の箇所にスポンジ等のクッション材を挿装し、更に上端に連結具を装着して肩ベルトの本体部を構成している。
【００１４】
そして、前記表地と裏地間における任意の箇所には、肩ベルトの長手方向に略直交する方向に向けて中空のパイプ材を挿装し、このパイプ材を貫通しつつ、無端状あるいは両端を着脱自在とした、チェーン、紐等の掛止部材を、前記肩ベルトの本体部に装着している。
【実施例１】
【００１５】
本考案の背負い鞄の肩ベルト（以下単に「肩ベルト」という。）の実施例について図面を参照して説明すると、図１は本実施例の肩ベルトを示す図であり、また図２は図１におけるＡ−Ａ線断面図であり、図において１が本実施例の肩ベルトである。
【００１６】
そして、本実施例の肩ベルトは、正面視野において幅広にするとともに僅かに変形させた形状の細長の本体部２０１と、この本体部２０１に連設された、背負い鞄に連結される細長の連結部２０２と、を有した表地２を有している。
【００１７】
また、表地２の裏面には、表地２とほぼ同一の形状寸法とした裏地３が縫製により貼り付けられており、表地２の本体部２０１と裏地３との間には、スポンジ等のクッション材４が介在されている。
【００１８】
なお、図において７は、肩ベルト１の上端を背負い鞄に連結させるために用いる連結部であり、また、図において２０３は、肩ベルト１を背負い鞄に連結する際に用いるベルト孔である。
【００１９】
次に、図において５はパイプ材であり、即ち、本実施例における肩ベルト１では、本体部２０１とクッション材４との間における任意の箇所に、所定の間隔をおいて、２本のパイプ材５が、肩ベルト１の長手方向に直交する方向に向けて２列に亘って挿装されている。
【００２０】
そして、このパイプ材５を貫通しつつ、肩ベルト１には掛止部材６が装着されている。即ち、図において６が掛止部材であり、本実施例においては、掛止部材として、両端を自由端としたチェーン６を用いており、このチェーン６でパイプ材５を貫通した後に、連結環６０１を介して両端部を連結し、これにより掛止部材６としている。そして、この掛止部材６に、防犯ブザーやキーホルダー、マスコット等を掛止可能としている。
【００２１】
次に、このように構成される本実施例の肩ベルトの使用方法について説明すると、本実施例の肩ベルトでは、これをランドセル等の背負い鞄に装着した後に、前記掛止部材６に防犯ブザー、キーホルダー、マスコット等を掛止することで、背負い鞄にそれらを装着することが可能である。
【００２２】
そして、このとき、本実施例の肩ベルト１では、単に掛止部材６に防犯ブザー等を掛止することのみでよいので、取り付け及び取り外しが容易であり、また、コストが上がることも無く、更に、掛止部材６としてチェーン等を使用しているために、防犯ブザー等を掛止していない際にこれらが邪魔になることもない。
【００２３】
このように、本考案では、パイプ材を介して方ベルトに掛止部材を装着し、この掛止部材に防犯ブザー等を掛止可能としているために、防犯ブザーや好みのキーホルダー、マスコットを容易に掛止可能であるとともに、コストもかからず、更に、防犯ブザー等を掛止していない場合に邪魔になることもない掛止具を備えた背負い鞄の肩ベルトにすることが可能である。
【００２４】
なお、前述の実施例では掛止部材としてチェーンを用いた場合について説明したが、掛止部材としては必ずしもチェーンを用いる必要はなく、防犯ブザー、キーホルダー等を容易に掛止可能であればいずれでも良い.従って、紐等を用いて掛止部材としてもよい。
【００２５】
また、前述の実施例では、パイプ材５の挿装方法として、肩ベルト１の長手方向に直交する方向に向けて２列に亘って挿装した場合について説明したが、必ずしも肩ベルトの長手方向に直交する方向に向けて挿装する必要はなく、例えばその他に、肩ベルトの長手方向と同一方向に向けてパイプ材を挿装してもよい。そして、かかる場合には、パイプ材の両端部分を肩ベルトより露出させ、この露出させた部分を介してパイプ材に係止部材を貫通させるか、あるいは、本体部２０１に２個の孔を開けて、この孔を介して、パイプ材に係止部材を貫通させるとよい。
【産業上の利用可能性】
【００２６】
本考案では、パイプ材を介して肩ベルトにチェーン等の掛止部材を装着しているために、背負い鞄に用いる肩ベルト全般に適用可能である。
【図面の簡単な説明】
【００２７】
【図１】本考案の肩ベルトの実施例を示す図である。
【図２】図１におけるＡ−Ａ線断面図である。
【符号の説明】
【００２８】
１    肩ベルト
２    表地
３    裏地
４    クッション材（スポンジ）
５    パイプ材
６    掛止部材
７    連結部
【図１】
0003105218.tif 000003
【図２】
0003105218.tif 000004